(57)【要約】【課題】  起床時刻に最も近いレム睡眠時に目覚ましアラームを報知すると共に省電力化を図ること。【解決手段】  検出回路１１１は使用者の体動を検出して対応する体動信号を出力する。ＣＰＵ１０５は、記憶手段１１０に設定された起床時刻に基づいてレム睡眠の検出開始時刻を算出すると共に、発振手段１０６が生成する信号を計数して計時動作を行う。ＣＰＵ１０５は、検出回路１１１からの体動信号に基づいてレム睡眠か否かを判断し、現在のレム睡眠が記憶手段１０に設定された起床時刻に最も近いレム睡眠と判断したとき、報知手段１０８から目覚ましアラームを報知する。【選択図】  図１
2009041939.tif 000002
【特許請求の範囲】
【請求項１】
時刻を計時する計時手段と、起床時刻を記憶する記憶手段と、前記起床時刻設定後の所定タイミングでレム睡眠を検出するレム睡眠検出手段と、目覚ましアラームを報知するアラーム手段と、前記レム睡眠検出手段が前記起床時刻前であって前記起床時刻に最も近いレム睡眠を検出したとき前記アラーム手段が目覚ましアラームを報知するように制御する制御手段とを備えて成ることを特徴とする目覚まし時計。
【請求項２】
前記レム睡眠検出手段は前記起床時刻前の所定時刻になったときにレム睡眠の検出動作を行い、
前記制御手段は、前記レム睡眠検出手段が前記起床時刻前であって前記起床時刻に最も近いレム睡眠を検出したとき前記アラーム手段が目覚ましアラームを報知するように制御することを特徴とする請求項１記載の目覚まし時計。
【請求項３】
前記レム睡眠検出手段は、人体の体動を検出する検出手段と、前記起床時刻前の所定時刻になったとき前記検出手段に駆動電力を供給して検出動作を行わせる駆動制御手段と、前記検出手段が検出した人体の体動に基づいてレム睡眠か否かを判断する判断手段とを備えて成ることを特徴とする請求項２記載の目覚まし時計。
【請求項４】
前記レム睡眠検出手段は前記起床時刻設定後の所定時間経過毎にレム睡眠の検出動作を行い、
前記制御手段は、前記レム睡眠検出手段が前記起床時刻前であって前記起床時刻に最も近いレム睡眠を検出したとき前記アラーム手段が目覚ましアラームを報知するように制御することを特徴とする請求項１記載の目覚まし時計。
【請求項５】
前記レム睡眠検出手段は、人体の体動を検出する検出手段と、前記起床時刻設定後の所定時刻毎に前記検出手段に駆動電力を供給して検出動作を行わせる駆動制御手段と、前記検出手段が検出した人体の体動に基づいてレム睡眠か否かを判断する判断手段とを備えて成ることを特徴とする請求項４記載の目覚まし時計。
【請求項６】
前記判断手段は、前記検出手段が検出した所定時間当たりの体動数の移動平均に基づいてレム睡眠か否かを判断することを特徴とする請求項３又は５記載の目覚まし時計。
【請求項７】
前記判断手段は、レム睡眠を複数回検出することによってレム睡眠周期を算出し前記レム睡眠周期を前記記憶手段に記憶するレム睡眠周期算出手段と、前記レム睡眠を検出した時刻と前記起床時刻との差が前記レム睡眠周期より短いとき、前記起床時刻前であって前記起床時刻に最も近いレム睡眠を検出したと判断することを特徴とする請求項３、５又は６記載の目覚まし時計。
【請求項８】
前記駆動制御手段は、（レム睡眠周期×２）以上前の所定タイミングで前記検出手段に駆動電力を供給して検出動作を行わせることを特徴とする請求項７記載の目覚まし時計。
【発明の詳細な説明】
【技術分野】
【０００１】
本発明は、目覚まし時計に関し、レム睡眠時にアラームを報知する目覚まし時計に関する。
【背景技術】
【０００２】
従来から、設定した起床時刻にアラームを報知する目覚まし時計が利用されている。
レム睡眠時に起床すると目覚めが良いといわれており、レム睡眠状態を検出するセンサ及び検出回路を備え、起床時刻直前のレム睡眠状態にて、アラーム報知を行う技術が公知であり、その技術を用いた製品も発表されている（例えば特許文献１、２参照）。
センサ及び検出回路を身体に携帯する場合、１次電池あるいは２次電池でセンサを駆動しなければならないので、回路全体の低消費化が望まれる。
【０００３】
しかしながら、従来の目覚まし時計では、レム睡眠やノンレム睡眠を検出するために、睡眠中は常にセンサ及び検出回路を駆動している。したがって、電力消費量が多いという問題がある。
また、電力消費が多いと電池の小型化が難しく、装置全体が大きくなり、携帯型目覚まし時計の場合、身体装着時に不快感を覚え、心地よい睡眠を邪魔することにもなるという問題がある。
【０００４】
【特許文献１】特開２０００−３１６８３２号公報
【特許文献２】特開昭５９−２３２８４号公報
【発明の開示】
【発明が解決しようとする課題】
【０００５】
本発明は、前記問題に鑑み成されたもので、起床時刻に最も近いレム睡眠時に目覚ましアラームを報知すると共に省電力化を図ることを課題としている。
【課題を解決するための手段】
【０００６】
本発明によれば、時刻を計時する計時手段と、起床時刻を記憶する記憶手段と、前記起床時刻設定後の所定タイミングでレム睡眠を検出するレム睡眠検出手段と、目覚ましアラームを報知するアラーム手段と、前記レム睡眠検出手段が前記起床時刻前であって前記起床時刻に最も近いレム睡眠を検出したとき前記アラーム手段が目覚ましアラームを報知するように制御する制御手段とを備えて成ることを特徴とする目覚まし時計が提供される。
制御手段は、レム睡眠検出手段が起床時刻前であって前記起床時刻に最も近いレム睡眠を検出したときアラーム手段が目覚ましアラームを報知するように制御する。
【０００７】
ここで、前記レム睡眠検出手段は前記起床時刻前の所定時刻になったときにレム睡眠の検出動作を行い、前記制御手段は、前記レム睡眠検出手段が前記起床時刻前であって前記起床時刻に最も近いレム睡眠を検出したとき前記アラーム手段が目覚ましアラームを報知するように制御するように構成してもよい。
また、前記レム睡眠検出手段は、人体の体動を検出する検出手段と、前記起床時刻前の所定時刻になったとき前記検出手段に駆動電力を供給して検出動作を行わせる駆動制御手段と、前記検出手段が検出した人体の体動に基づいてレム睡眠か否かを判断する判断手段とを備えて成るように構成してもよい。
【０００８】
また、前記レム睡眠検出手段は前記起床時刻設定後の所定時間経過毎にレム睡眠の検出動作を行い、前記制御手段は、前記レム睡眠検出手段が前記起床時刻前であって前記起床時刻に最も近いレム睡眠を検出したとき前記アラーム手段が目覚ましアラームを報知するように制御するように構成してもよい。
また、前記レム睡眠検出手段は、人体の体動を検出する検出手段と、前記起床時刻設定後の所定時刻毎に前記検出手段に駆動電力を供給して検出動作を行わせる駆動制御手段と、前記検出手段が検出した人体の体動に基づいてレム睡眠か否かを判断する判断手段とを備えて成るように構成してもよい。
【０００９】
また、前記判断手段は、前記検出手段が検出した所定時間当たりの体動数の移動平均に基づいてレム睡眠か否かを判断するように構成してもよい。
また、前記判断手段は、レム睡眠を複数回検出することによってレム睡眠周期を算出し、前記レム睡眠周期を前記記憶手段に記憶するレム睡眠周期算出手段と、前記レム睡眠を検出した時刻と前記起床時刻との差が前記レム睡眠周期より短いとき、前記起床時刻前であって前記起床時刻に最も近いレム睡眠を検出したと判断するように構成してもよい。
また、前記駆動制御手段は、（レム睡眠周期×２）以上前の所定タイミングで前記検出手段に駆動電力を供給して検出動作を行わせるように構成してもよい。
【発明の効果】
【００１０】
本発明によれば、起床時刻に最も近いレム睡眠時に目覚ましアラームを報知することができると共に省電力化を図ることが可能になる。
【発明を実施するための最良の形態】
【００１１】
先ず、本発明の実施の形態に係る目覚まし時計の基本概念について説明する。
図７は、本実施の形態に係る目覚まし時計の説明図であり、横軸は時間、縦軸は使用者の体動回数である。
図７に示すように、一般にレム睡眠は約１．５時間毎に生じるとされている。本発明の実施の形態に係る目覚まし時計は、起床時刻設定直後から連続的にレム睡眠時を検出するのではなく、起床時刻設定時から一定時間経過後に、起床時刻ＴＡ前であって起床時刻ＴＡに最も近いレム睡眠時ＴＲを所定タイミングで検出し、起床時刻ＴＡではなく前記レム睡眠時ＴＲに、目覚ましアラームを報知するようにしている。これにより、レム睡眠時にアラーム報知することができると共に、レム睡眠の検出動作を間欠的に行うことにより省電力化を可能にしている。
【００１２】
以下、図面を参照して、本発明の実施の形態に係る歩数計について説明する。
図１は、本発明の実施の形態に係る目覚まし時計のブロック図であり、後述する各実施の形態に共通するブロック図である。
図１において、目覚まし時計は、加速度センサ１０１、フィルターアンプ１０２、コンパレータ１０３、駆動制御手段１０４、中央処理装置（ＣＰＵ）１０５、発振手段１０６、入力手段１０７、報知手段１０８、表示手段１０９、記憶手段１１０を備えている。
加速度センサ１０１は加速度を検出して、前記加速度に応じたレベルの信号（加速度信号）を出力する。
【００１３】
フィルターアンプ１０２は、その入力信号中の所定周波数の信号を増幅して出力する回路要素で、加速度センサ１０１から入力される加速度信号を通過すると共にノイズをカットする。
コンパレータ１０３は、フィルターアンプ１０２からの加速度信号を所定基準値に基づいて二値化し、デジタル信号形式の加速度信号を出力する。尚、コンパレータ１０３の代わりにアナログ／デジタル（Ａ／Ｄ）変換回路を用いてもよい。
加速度センサ１０１、フィルターアンプ１０２、コンパレータ１０３は検出回路１１１を構成している。
【００１４】
駆動制御手段１０４は、ＣＰＵ１０５の制御に応答して検出回路１１１に供給する駆動電力を制御することにより、検出回路１１１の駆動を制御する。また、駆動制御手段１０４は、起床時刻設定後で起床時刻前の所定タイミングで検出回路１１１に駆動電力を供給して検出動作を行わせる。
ＣＰＵ１０５は、記憶手段１１０に記憶されたプログラムを実行することによって後述する処理を行う。
【００１５】
発振手段１０６は所定周波数の信号を発生する。入力手段１０７はキースイッチ等によって構成されている。報知手段１０８はアラーム手段を構成しており、目覚ましアラームを報知する。表示手段１０９は液晶表示器等によって構成され、時刻や設定された起床時刻等を表示する。記憶手段１１０は、ＣＰＵが実行するプログラムや、設定された起床時刻、算出されたレム睡眠周期等のデータを記憶することができる。
【００１６】
ここで、ＣＰＵ１０５及び発振手段１０６は計時手段を構成し、ＣＰＵ１０５及び検出回路１１０はレム睡眠検出手段を構成している。検出回路１１１は人体の体動を検出する検出手段を構成している。ＣＰＵ１０５は検出手段が検出した人体の体動に基づいてレム睡眠か否かを判断する判断手段を構成している。また、ＣＰＵは１０５は制御手段を構成している。
計時手段は時刻を計時することができる。レム睡眠検出手段は、起床時刻設定後の所定タイミングでレム睡眠を検出することができる。
【００１７】
制御手段は、レム睡眠検出手段が起床時刻前であって前記起床時刻に最も近いレム睡眠を検出したときアラーム手段が目覚ましアラームを報知するように制御することができる。
レム睡眠検出手段は、起床時刻前の所定時刻になったときにレム睡眠の検出動作を行うことができる。
レム睡眠検出手段は、人体の体動を検出する検出手段と、起床時刻前の所定時刻になったとき前記検出手段に駆動電力を供給して検出動作を行わせる駆動制御手段と、前記検出手段が検出した人体の体動に基づいてレム睡眠か否かを判断する判断手段とによって構成することができる。
【００１８】
また、レム睡眠検出手段は起床時刻設定後の所定時間経過毎にレム睡眠の検出動作を行うことができる。
また、レム睡眠検出手段は、人体の体動を検出する検出手段と、起床時刻設定後の所定時刻毎に前記検出手段に駆動電力を供給して検出動作を行わせる駆動制御手段と、前記検出手段が検出した人体の体動に基づいてレム睡眠か否かを判断する判断手段とによって構成することができる。
【００１９】
判断手段は、検出手段が検出した体動数の移動平均に基づいてレム睡眠か否かを判断することができる。
また、判断手段は、レム睡眠を複数回検出することによってレム睡眠周期を算出し、前記レム睡眠周期を記憶手段に記憶するレム睡眠周期算出手段と、レム睡眠を検出した時刻と起床時刻との差が前記レム睡眠周期より短いとき、前記起床時刻前であって前記起床時刻に最も近いレム睡眠を検出したと判断することができる。
また、駆動制御手段は、（レム睡眠周期×２）以上前の所定タイミングで検出手段に駆動電力を供給して検出動作を行わせることができる。
【００２０】
図２は、本発明の第１の実施の形態に係る目覚まし時計の処理を示すフローチャートである。
以下、図１及び図２を用いて、本第１の実施の形態の動作を詳細に説明する。
使用者は、入力手段１０７を操作して起床時刻を設定する（即ち、目覚まし機能を作動させる）（ステップＳ２０１）。ＣＰＵ１０５は、入力手段１０７による起床時刻設定動作に応答して、前記起床時刻を記憶手段に記憶すると共に、発振手段１０６からの信号に基づいて計時動作を開始する。
【００２１】
また、ＣＰＵ１０５は、前記起床時刻に基づいて、検出回路１１１の駆動開始時刻を計算する（ステップＳ２０２）。例えば、ＣＰＵ１０５は、起床時刻設定後であって、設定した起床時刻の（レム睡眠周期×２）時間以前の所定時刻を、検出回路１１１の駆動開始時刻とする。このように、駆動開始時刻を設定することにより、レム睡眠時刻が多少ずれた場合でも、起床時刻直前のレム睡眠を確実に検出することができる。
使用者は、少なくとも加速度センサ１０１を身体に装着した状態で睡眠に入る。
ＣＰＵ１０５は、検出回路１１１駆動開始時刻が到来したか否かを判断し（ステップＳ２０３）、検出回路１１１駆動開始時刻が到来したと判断すると、検出回路１１１に駆動電力を供給して検出動作を開始するように駆動制御手段１０４を制御する（ステップＳ２０４）。
【００２２】
駆動制御手段１０４は、ＣＰＵ１０５による制御に応答して、検出回路１１１に駆動電力を供給して検出動作を開始させる。
検出回路１１１は、駆動制御手段１０４の駆動制御によって、使用者の体動の検出を開始する。センサ１０１は使用者の体動を検出する毎に、対応する体動信号を出力する。フィルターアンプ１０２は、センサ１０１からの信号に含まれるノイズ成分を除去して体動信号を出力する。コンパレータ１０３はフィルターアンプ１０２からの信号を所定閾値に基づいて二値化し、デジタル信号として体動信号を出力する。
【００２３】
ＣＰＵ１０５は、レム睡眠を検知するまでコンパレータ１０３からの体動信号を検出する（ステップＳ２０５）。レム睡眠か否かを判断する処理の詳細は後述するが、例えば所定時間当たりの体動数が所定値以上の場合にレム睡眠と判断する等、種々の検出条件に基づい検出するように構成することができる。
ＣＰＵ１０５は、処理ステップＳ２０５においてレム睡眠を検出すると、現在時刻から記憶手段１１０に記憶している起床時刻までが所定時間以内か否かを判断する（ステップＳ２０６）。前記所定時間はレム睡眠周期とするが、前記レム睡眠周期は一般的には１．５時間であるため、使用者固有のレム睡眠周期が記憶手段１１０に設定されていない場合には、前記所定時間は１．５時間とする。尚、レム睡眠周期の算出処理については後述する。
【００２４】
ＣＰＵ１０５は、処理ステップＳ２０６において現在時刻から起床時刻まで前記所定時間以内と判断した場合、今回のレム睡眠が起床時刻前の最後のレム睡眠となるため、報知手段１０８を駆動して目覚ましアラームを報知する（ステップＳ２０７）。
ＣＰＵ１０５は、入力手段１０７によってアラーム報知終了操作がなされたことを検出すると、アラーム報知を停止させて目覚まし動作を終了する（ステップＳ２０８）。
【００２５】
以上のようにして、起床時刻に最も近いレム睡眠時に目覚ましアラームを報知することができる。
また、入眠から所定時間は検出回路１１１に駆動電力を供給せず、起床時刻の所定時間前から検出回路１１１に駆動電力を供給して駆動するようにしているため、省電力化を図ることが可能になる。
例えば、睡眠時間が８時間であった場合、一晩の間に検出回路１１１を駆動するために必要な電力は３／８〜１．５／８に低減することが可能になる。従来の駆動方法で、仮にＣＲ２０３２サイズの電池が必要であったとすると、本実施の形態では、ＣＲ２０１６サイズ（電池厚み半分）に変更することが可能であり、小型化も可能になる。
【００２６】
図３は前述したレム睡眠周期の算出処理を示すフローチャートで、図４はレム睡眠周期算出処理におけるレム睡眠検出処理を示すフローチャートである。
また、図５は、レム睡眠検出処理の説明図である。図５において、同図（ａ）は加速度センサ１０１の出力信号波形、同図（ｂ）は所定時間内に検出回路１０３からＣＰＵ１０５へ入力される体動信号を示す図である。同図（ｂ）では、単位時間（１分間単位）当たりの体動信号数を算出している。
【００２７】
同図（ｃ）は、同図（ｂ）に示す体動信号の計数値を示す表であり、単位時間毎の体動数及び最近５分間（ｎ＝５）毎の移動平均を示す表である。
同図（ｄ）は、同図（ｃ）の表のデータをプロットしたグラフであり、系列２は単位時間毎の体動数、系列３は最近５分間（ｎ＝５）毎の移動平均値である。
以下、主に図３〜図５を用いて、本第１の実施の形態におけるレム睡眠周期算出処理を説明する。
【００２８】
ＣＰＵ１０５は、駆動制御手段１０４を制御することによって検出回路１１１に駆動電力を供給した後、レム睡眠検出処理に移行する（図３のステップＳ３０１）。
レム睡眠検出処理では、ＣＰＵ１０５は、先ずタイマ及び体動数カウンタをリセットした後（図４のステップＳ４０１、Ｓ４０２）、タイマをスタートさせる（ステップＳ４０３）。
【００２９】
次に、ＣＰＵ１０５は、所定時間（図５の例では１分間）経過したか否かを判断する（ステップＳ４０４）。ＣＰＵ１０５、１分間経過していないと判断した場合、体動信号を検出したときには（ステップＳ４０５）、体動数カウンタの体動数カウント値に１加算して処理ステップＳ４０４に戻る（ステップＳ４０６）。ＣＰＵ１０５は、処理ステップＳ４０５において、体動信号を検出していない場合には処理ステップＳ４０４に戻る。
【００３０】
一方、ＣＰＵ１０５は、処理ステップＳ４０４において所定時間経過したと判断した場合、体動数カウント値を記憶部１１０に記憶する（ステップＳ４０７）。
ＣＰＵ１０５は、データ蓄積が所定量（本例では、所定量＝５個（５分間相当分））行われたか否かを判断し（ステップＳ４０８）、データ蓄積が所定量行われたと判断した場合、所定時間分の最新のデータを用いて移動平均処理を行う（ステップＳ４０９）。
【００３１】
次に、ＣＰＵ１０５は、前記移動平均処理した結果から極大値を検出すると（ステップＳ４１０）、レム睡眠を検出したと判断する（ステップＳ４１１）。図５（ｄ）は移動平均によって極大値を検出した場合のグラフである。
次に、ＣＰＵ１０５は、前記タイマを停止した後（ステップＳ４１２）、駆動制御手段１０４を制御して、検出回路１１１への駆動電力を遮断する。これにより、検出回路１１１は動作を停止する。
以上のようにして、図３に示した処理ステップＳ３０２のレム睡眠検出処理が行われる。
【００３２】
次に、再び図３において、ＣＰＵ１０５は、極大値を検出した時刻を記憶手段１１０に記憶する（ステップＳ３０３）。
ＣＰＵ１０５は、レム睡眠時刻を２回以上検出していない場合（ステップＳ３０４）、所定時間（レム睡眠周期に相当すると推測される時間よりも少し短い時間）経過した後、処理ステップＳ３０１に戻って前記レム睡眠時刻検出処理を繰り返す（ステップＳ３０５）。
【００３３】
ＣＰＵ１０５は、処理ステップＳ３０４において、レム睡眠時刻を２回以上検出したと判断した場合、検出した複数のレム睡眠時刻を用いてレム睡眠周期を算出する（ステップＳ３０６）。
このようにして、当該使用者のレム睡眠周期が算出され、ＣＰＵ１０５は、前記レム睡眠周期を記憶手段１１０に記憶する。算出したレム睡眠周期は図２の処理ステップＳ２０６において使用される。これにより、使用者のレム睡眠周期に応じたアラーム報知処理が行われ、各使用者に応じた適切な時刻にアラーム報知処理が行われる。
【００３４】
以上述べたように、本第１の実施の形態によれば、検出回路１１１は使用者の体動を検出して対応する体動信号を出力する。ＣＰＵ１０５は、記憶手段１１０に設定された起床時刻に基づいてレム睡眠の検出開始時刻を算出すると共に、発振手段１０６が生成する信号を計数して計時動作を行う。ＣＰＵ１０５は、検出回路１１１からの体動信号に基づいてレム睡眠か否かを判断し、現在のレム睡眠が記憶手段１１０に設定された起床時刻に最も近いレム睡眠と判断したとき、報知手段１０８から目覚ましアラームを報知するようにしている。
したがって、起床時刻に最も近いレム睡眠時にアラーム報知することができると共に省電力化を図ることが可能になる。
【００３５】
図６は、本発明の第２の実施の形態に係る目覚まし時計の処理を示すフローチャートである。ブロック図は図１と同じである。
以下、図１及び図６を用いて、本第２の実施の形態の動作を詳細に説明する。
使用者は、入力手段１０７を操作して、起床時刻を設定する（即ち、目覚まし機能を作動させる）（ステップＳ６０１）。
【００３６】
使用者は、少なくとも加速度センサ１０１を身体に装着した状態で睡眠に入る。
ＣＰＵ１０５は、前記起床時刻を記憶手段１１０に記憶する。ＣＰＵ１０５は、目覚まし機能作動から所定時間経過したと判断すると（ステップＳ６０２）、駆動制御手段１０４を制御して検出回路１１１に駆動電力を駆動し、検出回路１１１に検出動作を開始させる（ステップＳ６０３）。
【００３７】
検出回路１１１は、駆動制御手段１０４の駆動制御によって、使用者の体動検出を開始する。センサ１０１は使用者の体動を検出する毎に、対応する体動信号を出力する。フィルターアンプ１０２は、センサ１０１からの信号に含まれるノイズ成分を除去して体動信号を出力する。コンパレータ１０３はフィルターアンプ１０２からの信号を所定閾値に基づいて二値化し、デジタル信号として体動信号を出力する。
【００３８】
ＣＰＵ１０５は、レム睡眠を検知するまでコンパレータ１０３からの体動信号を検出する（ステップＳ６０４）。レム睡眠か否かの判断は、前記第１の実施の形態と同様に、所定時間当たりの体動数が所定値以上の場合にレム睡眠と判断する等、種々の判断基準を用いてレム睡眠か否かを判断するように構成することができる。
【００３９】
ＣＰＵ１０５は、処理ステップＳ６０４においてレム睡眠を検出すると、現在時刻から記憶手段１１０に記憶している起床時刻までが所定時間以内か否かを判断する（ステップＳ６０５）。前記所定時間はレム睡眠周期とするが、前記レム睡眠周期は一般的には１．５時間であるため、使用者固有のレム睡眠周期が記憶手段１１０に設定されていない場合には、前記所定時間は１．５時間とする。尚、レム睡眠周期の算出処理は前記第１の実施の形態と同様にすることができる。
【００４０】
ＣＰＵ１０５は、処理ステップＳ６０５において現在時刻から起床時刻まで前記所定時間以内と判断した場合、今回のレム睡眠が起床時刻前の最後のレム睡眠となるため、報知手段１０８を駆動してアラーム報知する（ステップＳ６０６）。
ＣＰＵ１０５は、入力手段１０７によってアラーム報知終了操作がなされたことを検出すると、アラームを停止させて目覚まし動作を終了する（ステップＳ６０７）。
【００４１】
ＣＰＵ１０５は、処理ステップＳ６０５において、現在時刻から起床時刻まで前記所定時間以内ではないと判断した場合、駆動制御手段１０４を制御して、検出回路１１１への駆動電力供給を停止し、検出回路１１１の検出動作を停止させた後、処理ステップＳ６０２に戻る（ステップＳ６０８）。
以上のようにして、前記第１の実施の形態と同様に、設定された起床時刻に最も近いレム睡眠時にアラーム報知することができ又、入眠から所定時間は検出回路１１１に駆動電力を供給せず、起床時刻の所定時間前から検出回路１１１に駆動電力を供給して駆動するため、省電力化を図ることが可能になる。
【００４２】
尚、体動を検出するセンサとして加速度センサ１０１を使用したが、機械的に体動を検出するセンサ等を使用することができる。
また、目覚まし時計全体を身体に装着せず、少なくとも加速度センサ１０１を身体に装着できればよい。
レム睡眠の検出条件として、例えば、起床時刻の１．５時間前に検出回路１１１の駆動を開始し、一度のレム睡眠の検出で、アラームを報知するように構成してもよい。
【００４３】
また、所定時間内に所定振幅以上の信号が所定回数以上発生した場合、あるいは、過去ｎ（ｎは整数）分間の平均加速度が、所定値を上回った場合をレム睡眠と判断するように構成してもよい。
また、検出回路１１１の出力レベルが所定値を超えたとき、レム睡眠状態と判断するように構成してもよい。
また、使い始めは、駆動開始時間を（レム睡眠周期×２）以上前とし、使用者固有のレム睡眠周期を把握する。周期が把握できたら、それに合わせて駆動開始時間を調節するようにしてもよい。
【００４４】
また、睡眠開始直後から、検出回路１１１を駆動し、レム睡眠を検出したら、１時間は検出回路１１１の電源を切るように構成してもよい。
また、入眠後、６０分〜１２０分後に最初のレム睡眠が現れるため、睡眠開始直後は、所定時間（６０分未満）検出回路１１１を駆動しないように構成することができる。
【産業上の利用可能性】
【００４５】
少なくとも体動を検出するセンサを身体に装着して使用する各種の目覚まし時計に利用可能である。
【図面の簡単な説明】
【００４６】
【図１】本発明の実施の形態に係る目覚まし時計のブロック図である。
【図２】本発明の第１の実施の形態に係る目覚まし時計のフローチャートである。
【図３】本発明の実施の形態に係る目覚まし時計のフローチャートである。
【図４】本発明の実施の形態に係る目覚まし時計のフローチャートである。
【図５】本発明の実施の形態に係る目覚まし時計の説明図である。
【図６】本発明の第２の実施の形態に係る目覚まし時計のフローチャートである。
【図７】本発明の実施の形態に係る目覚まし時計の説明図である。
【符号の説明】
【００４７】
１０１・・・加速度センサ
１０２・・・フィルターアンプ
１０３・・・コンパレータ
１０４・・・駆動制御手段
１０５・・・ＣＰＵ
１０６・・・発振手段
１０７・・・入力手段
１０８・・・報知手段
１０９・・・表示手段
１１０・・・記憶手段
１１１・・・検出回路
【図１】
2009041939.tif 000003
【図２】
2009041939.tif 000004
【図３】
2009041939.tif 000005
【図４】
2009041939.tif 000006
【図５】
2009041939.tif 000007
【図６】
2009041939.tif 000008
【図７】
2009041939.tif 000009